(57)【要約】【課題】良好な画面視認性を確保でき、画面振動特性も向上させることのできるカラー陰極線管のシャドウマスクを提供する。【解決手段】このカラー陰極線管のシャドウマスク７では、ダミーブリッジ２１のみの領域２３と、ダミーブリッジ２１とリアルブリッジ２２の混在領域２４とが存在する。ダミーブリッジ２１のみの領域２３におけるダミーブリッジサイズは、ダミーブリッジ２１とリアルブリッジ２２の混在領域２４におけるダミーブリッジサイズよりも大きい。ダミーブリッジ２１のみの領域２３の垂直長さは、シャドウマスク垂直長さの５０％よりも大きいとする。【選択図】        図５
2004311092.tif 000002
【特許請求の範囲】
【請求項１】
ダミーブリッジのみの領域と、ダミーブリッジとリアルブリッジの混在領域とが存在するカラー陰極線管のシャドウマスクにおいて、
ダミーブリッジのみの領域におけるダミーブリッジサイズは、ダミーブリッジとリアルブリッジの混在領域におけるダミーブリッジサイズよりも大きい、
ことを特徴とするカラー陰極線管のシャドウマスク。
【請求項２】
ダミーブリッジのみの領域の垂直長さは、シャドウマスク垂直長さの５０％より大きい、
ことを特徴とする請求項１に記載のカラー陰極線管のシャドウマスク。
【請求項３】
ブリッジを有さないすだれ状マスク領域と、少なくともリアルブリッジを有する領域とが存在するカラー陰極線管のシャドウマスクにおいて、
すだれ状マスク領域のスリット開口幅は、リアルブリッジを有する領域のスリット開口幅より小さい、
ことを特徴とするカラー陰極線管のシャドウマスク。
【請求項４】
ブリッジを有さないすだれ状マスク領域の垂直長さは、シャドウマスク垂直長さの５０％より大きい、
ことを特徴とする請求項３に記載のカラー陰極線管のシャドウマスク。
【請求項５】
請求項１から４のいずれかに記載のシャドウマスクを備えていることを特徴とするカラー陰極線管。
【発明の詳細な説明】
【０００１】
【発明の属する技術分野】
この発明は、カラー陰極線管のシャドウマスクおよび、カラー陰極線管に係る発明である。
【０００２】
【従来の技術】
カラー陰極線管のシャドウマスクとして、リアルブリッジを有するものが知られている。この種のシャドウマスクには、リアルブリッジを介しての熱伝導に起因するドーミング現象を減少させるために、リアルブリッジの配置数を少なくし、しかもその配置数の減少でかえって目立ち易くなるリアルブリッジによる視認性の悪化を回避するために、リアルブリッジが配置されていた箇所に、リアルブリッジの代替としてダミーブリッジを配置させたもの有る（例えば、特許文献１参照）。
【０００３】
また、ダミーブリッジを設けたシャドウマスクにおいて、視認性確保のために、リアルブリッジおよびダミーブリッジの縦ピッチを隣接するスロット間でずらしたものが有る（例えば、特許文献２参照）。
【０００４】
あるいは、リアルブリッジとダミーブリッジとを設けることによる視認性劣化の他の対策として、両ブリッジの大きさに差を設けたものも有る（例えば、特許文献３参照）。
【０００５】
さらには、ダミーブリッジのみの領域の垂直長さを、シャドウマスクの垂直長さの０．１〜５０％としたものも有る（例えば、特許文献４参照）。
【０００６】
このほか、リアルブリッジの数を、マスク中央部から周辺部に向かうにつれて次第に減らすようにしたものも有る（例えば、特許文献５参照）。
【０００７】
【特許文献１】
米国特許第４９２６０８９号明細書（第８頁、第１２図）
【特許文献２】
特開２００１−８４９１８号公報（第５頁、第２図）
【特許文献３】
特開２００１−４３８０８号公報（第３頁、第４図）
【特許文献４】
特開２００１−３１２９７６号公報（第４頁）
【特許文献５】
特開２００２−４２６７０号公報（第３頁、第６図）
【０００８】
【発明が解決しようとする課題】
上記各文献に係る発明では、リアルブリッジの配置密度を画面内で変化させると、電子ビーム照射密度もそれに応じて分布することになり、輝度均一性が損なわれるなど、画面の良好な視認性が損なわれるという問題が有る。
【０００９】
また、上記各文献に係る発明において、リアルブリッジの配置数を少なくしているが、リアルブリッジが隣合うストリップを機械的に結合させているので、シャドウマスクを面構造に構成している。そのため、カラー陰極線管の外部から振動を受けると、前記面構造としたシャドウマスクに面振動が生じ易く、カラー陰極線管としての画面振動特性に難が有った。
【００１０】
例えば、特許文献４に係る発明では、ダミーブリッジのみの領域の垂直長さをマスクの垂直長さの５０％よりも短くしたものにおいても、画面半分以上が面構造となり、振動による画面振動特性の問題が顕著となる。
【００１１】
さらに、例えば、特許文献５に係る発明のように、リアルブリッジの数をマスク中央で増加させると、隣り合うストリップ同士の結びつきがマスク中央部でより緻密となって、振動し易くなり、ひいてはカラー陰極線管の画面での振動が目立ち易くなる。
【００１２】
そこで、この発明は、上述の点に鑑みてなされたもので、良好な画面視認性を確保でき、画面振動特性も向上させることのできるカラー陰極線管のシャドウマスクおよび、カラー陰極線管を提供することを目的とする。
【００１３】
【課題を解決するための手段】
上記の目的を達成するために、本発明に係る請求項１に記載のカラー陰極線管のシャドウマスクは、ダミーブリッジのみの領域と、ダミーブリッジとリアルブリッジの混在領域とが存在するカラー陰極線管のシャドウマスクにおいて、ダミーブリッジのみの領域におけるダミーブリッジサイズは、ダミーブリッジとリアルブリッジの混在領域におけるダミーブリッジサイズよりも大きい。
【００１４】
また、本発明に係る請求項３に記載のカラー陰極線管のシャドウマスクは、ブリッジを有さないすだれ状マスク領域と、少なくともリアルブリッジを有する領域とが存在するカラー陰極線管のシャドウマスクにおいて、すだれ状マスク領域のスリット開口幅は、リアルブリッジを有する領域のスリット開口幅より小さいものである。
【００１５】
また、本発明に係る請求項５に記載のカラー陰極線管は、請求項１から４のいずれかに記載のシャドウマスクを備えている。
【００１６】
【発明の実施の形態】
以下、この発明をその実施の形態を示す図面に基づいて具体的に説明する。
【００１７】
＜実施の形態１＞
図１は、この発明の実施の形態１によるシャドウマスクを備えたカラー陰極線管の概略構成を示す断面図である。
【００１８】
図１に示すカラー陰極線管では、ガラス管体１におけるフェースプレートパネル２の内面に蛍光面３が設けられると共に、フェースプレートパネル２の内側には、電子銃４から発せられ電磁偏向手段５で走査される電子ビーム６を選別して有効成分のみを前記蛍光面３に照射するシャドウマスク７が配置されている。
【００１９】
シャドウマスク７は、図２に示すように、横長の上下一対の支持部材８，９の両端を、左右一対のコ字状弾性部材１０，１１で連結してなる方形の金属フレーム１２に、多数のストリップ１３を張架して構成されるアパーチャグリルと呼ばれるものであり、シャドウマスク７の面上には振動防止用のダンパー線１４が張架されている。ストリップ１３は細長い帯状のものであり、前記金属フレーム１２の上下の支持部材８，９間に、横並び状に張架され、これにより隣り合うストリップ１３，１３の間にビーム透過孔となるスリット１５が形成される。振動防止用のダンパー線１４は、シャドウマスク７が外部からの振動により共振して色振れを起こし、画質を劣化させるのを抑制するためのものであって、例えばタングステン線よりなる細線であり、その両端はそれぞれダンパースプリング１６に金属リボン１７を介してシーム溶接されている。
【００２０】
前記シャドウマスク７の全面は、図３に概略平面図で示すように、前記ストリップ１３がダミーブリッジ２１（図４）のみを有する領域２３と、ストリップ１３がダミーブリッジ２１とリアルブリッジ２２（図４）の両方を有する混在領域２４とで構成される。
【００２１】
前記シャドウマスク７の面の一部を拡大して示す図４のように、ダミーブリッジ２１は、ストリップ１３の両側から横方向に延びた片持ち状態の帯片であり、この例ではダミーブリッジ２１がストリップ１３の長さ方向の同じ位置で両側に延ばされている。リアルブリッジ２２は、ストリップ１３の側部から横方向に延びて隣のストリップ１３に連結される帯片である。
【００２２】
ダミーブリッジ２１とリアルブリッジ２２の混在領域２４におけるダミーブリッジ２１のサイズは、画面視認性の観点から規定される。
【００２３】
すなわち、ダミーブリッジ２１のサイズが小さすぎると、ダミーブリッジ２１の設けられた部分でスリット１５を透過する電子ビームの透過量が多くなることから画面は明るくなり、相対的にリアルブリッジ２２が設けられた部分の画面の暗さが目立つ。逆に、ダミーブリッジ２１のサイズが大きすぎると、リアルブリッジ２２の設けられた部分の明るさが目立ち、いずれの場合も視認性の観点から問題となる。
【００２４】
このような理由で、混在領域２４でのダミーブリッジ２１のサイズは、リアルブリッジ２２のサイズと関連させて最適値が求められる。
【００２５】
このような配慮をしてサイズが規定されたダミーブリッジ２１とリアルブリッジ２２の混在領域２４に対し、例えばダミーブリッジ２１のみの領域２３におけるダミーブリッジ２１のサイズを混在領域２４におけるダミーブリッジ２１と同一サイズにすると、リアルブリッジ２２が設けられない分だけ、単位面積当たりの電子ビーム透過量はダミーブリッジ２１のみの領域２３の方が多くなり、両領域２３，２４間で明暗差が生じてしまう（ダミーブリッジ２１のみの領域２３の方が明るい）。
【００２６】
そこで、この実施の形態１では、ダミーブリッジ２１のみの領域２３でのダミーブリッジ２１のサイズを、ダミーブリッジ２１とリアルブリッジ２２の混在領域２４でのダミーブリッジ２１のサイズよりも大きくし、両領域２３，２４間に明暗差が発生するのを回避している。
【００２７】
具体例として、例えば図４の一部を拡大して示す図５において、ダミーブリッジ２１とリアルブリッジ２２の混在領域２４での各ブリッジのサイズＨ２１ａ，Ｈ２２，Ｗ２１ａ，Ｓ２１ａは、それらの関連性から上述したように最適値が求められる。なお、図５において、Ｈ２１ａ，Ｗ２１ａ，Ｓ２１ａは混在領域２４でのダミーブリッジ２１の縦サイズ，横サイズ，面積、Ｈ２２はリアルブリッジ２２の縦サイズ、Ｈ２１ｂ，Ｗ２１ｂ，Ｓ２１ｂはダミーブリッジ２１のみの領域２３でのダミーブリッジ２１の縦サイズ，横サイズ，面積である。
【００２８】
このとき、Ｈ２１ｂ＝Ｈ２１ａである場合、領域２３，２４の境界部視認性に注意して、Ｗ２１ｂ＞Ｗ２１ａとする。すなわち、領域２３でのダミーブリッジ２１の横サイズを、混在領域２４でのダミーブリッジ２１の横サイズよりも大きくする。これにより、ダミーブリッジ２１のみの領域２３と混在領域２４との間での電子ビーム透過量の均衡が保たれるので、視認性の良好なカラー陰極線管画面とすることができる。好ましくは、Ｗ２１ｂを１．０３×Ｗ２１ａ〜１．５５×Ｗ２１ａとするのが良く、これにより、より視認性の良好な画面とすることができる。
【００２９】
また、Ｗ２１ｂ＝Ｗ２１ａである場合は、Ｈ２１ｂ＞Ｈ２１ａとする。すなわち、領域２３でのダミーブリッジ２１の縦サイズを、混在領域２４でのダミーブリッジ２１の縦サイズよりも大きくする。この場合も、ダミーブリッジ２１のみの領域２３と混在領域２４との間での電子ビーム透過量の均衡が保たれるので、視認性の良好なカラー陰極線管画面とすることができる。好ましくは、Ｈ２１ｂを１．０２×Ｈ２１ａ〜１．５２×Ｈ２１ａとするのが良く、これにより、より視認性の良好な画面とすることができる。
【００３０】
上記の例では、両領域２３，２４でのダミーブリッジ２１の縦サイズが同じ場合、および横サイズが同じ場合について説明したが、縦サイズおよび横サイズが互いに異なる場合でも良く、この場合には領域２３でのダミーブリッジ２１の面積Ｓ２１ｂが、混在領域でのダミーブリッジ２１の面積Ｓ２１ａよりも大きくなるようにする。
【００３１】
また、この実施の形態１では、説明の便宜上、ダミーブリッジ２１の形状を略矩形状としたが、シャドウマスク７の製造上の各種条件によって、その形状を略楕円形状，略台形状，あるいは略三角形状などとする場合でも、同様にダミーブリッジ２１のサイズを設定することによって、視認性の良好なカラー陰極線管画面とすることができる。
【００３２】
また、この実施の形態１では、シャドウマスク７の全面を示す図３において、ダミーブリッジ２１のみの領域２３の垂直長さＨ２３を、シャドウマスク７の垂直長さ、すなわち両領域２３，２４の垂直長さＨ２３，Ｈ２４を合計した長さＨの５０％より大きくなるようにしている。
【００３３】
また、振動には、リアルブリッジ２２を有することに起因する面振動と、リアルブリッジ２２を有しない（つまり、線状となる）ことにより生じる弦振動とを考慮する必要がある。ストリップ１３の展張により弦振動を抑制することはできるが、面振動はさほど抑制することができない。そうすると、従来の技術の特許文献４では、垂直長さＨ２３を垂直長さＨの５０％以下することが記載されているが、この場合面振動の影響を強く受け、視認性の点において実用上問題が生じていた。そこで、本実施の形態のように、垂直長さＨ２３を垂直長さＨの５０％より大きくすることで、面振動を抑制することができ、弦振動、面振動の両方において、画面振動抑制効果が向上することになる。このことは、所定の振動を与えた視認性の実験により、確認されている。
【００３４】
図６は、この実施の形態１のシャドウマスク７の他の例を示す部分拡大平面図である。このシャドウマスク７は、ストリップ１３の右側から横方向に延びるダミーブリッジ２１と、左側から横方向に延びるダミーブリッジ２１とが、ストリップ１３の長さ方向の異なる位置に設けられている例を示している。
【００３５】
ダミーブリッジ２１のみの領域２３でのダミーブリッジ２１のサイズと、混在領域２４でのダミーブリッジ２１のサイズとの関係、およびその他の構成は先の例の場合と同様であり、ここではそれらの説明を省略する。
【００３６】
このように左右のダミーブリッジ２１のストリップ長手方向での位置を互いに異ならせたシャドウマスク７の場合にも、同様に視認性の良好なカラー陰極線管画面とすることができる。
【００３７】
＜実施の形態２＞
図７は、この発明の実施の形態２によるカラー陰極線管のシャドウマスクの一部を拡大して示す平面図である。このシャドウマスク７には、ストリップ１３がその両側にダミーブリッジ２１を有しないすだれ状である領域３３と、ストリップ１３がその両側にダミーブリッジ２１とリアルブリッジ２２とを有する混在領域３４とが存在する。左右のダミーブリッジ２１は、ストリップ１３の長手方向の同じ位置で横方向に延びている。
【００３８】
このシャドウマスク７において、すだれ状マスクの領域３３でのスリット１５の開口幅Ｗ１５ｂと、混在領域３４でのスリット１５の開口幅Ｗ１５ａが同じだとすると、混在領域３４ではダミーブリッジ２１とリアルブリッジ２２が存在する分だけ、他方の領域３３に比べて、単位面積当たりの電子ビーム透過量が少なくなるので、画面では混在領域３４の部分がそれだけ暗くなるという不具合が生じる。
【００３９】
そこで、この実施の形態２では、上記不具合を回避するために、両領域３３，３４でのスリット開口幅の関係をＷ１５ｂ＜Ｗ１５ａとしている。すなわち、混在領域３４でのスリット開口幅Ｗ１５ａは、他の領域３３でのスリット開口幅Ｗ１５ｂよりも大きくしている。
【００４０】
これにより、すだれ状マスク領域３３とリアルブリッジ２２を有する領域３４との間で電子ビーム透過量の均衡が保たれることとなり、良好な画面視認性を確保することができる。
【００４１】
また、この実施の形態２では、すだれ状マスクの領域３３の垂直方向長さを、シャドウマスク全体の垂直方向長さの５０％より大きくなるようにしている。
【００４２】
このようにすることで、実施の形態１と同様に、弦振動、面振動の両方において、画面振動抑制効果が向上することになる。このことは、所定の振動を与えた視認性の実験により、確認されている。
【００４３】
図８は、この実施の形態２のシャドウマスク７の他の例を示す部分拡大平面図である。このシャドウマスク７は、ストリップ１３の右側から横方向に延びるダミーブリッジ２１と、左側から横方向に延びるダミーブリッジ２１とが、ストリップ１３の長さ方向の異なる位置に設けられている例を示している。すだれ状マスクの領域３３でのスリット開口幅Ｗ１５ｂと、混在領域３４でのスリット開口幅１５ａとの関係、およびその他の構成は先の例の場合と同様であり、ここではそれらの説明を省略する。
【００４４】
このように左右のダミーブリッジ２１のストリップ長手方向での位置を互いに異ならせたシャドウマスク７の場合にも、同様に視認性の良好なカラー陰極線管画面とすることができる。
【００４５】
図９は、この実施の形態２のシャドウマスク７のさらに他の例を示す部分拡大平面図である。このシャドウマスク７では、ダミーブリッジ２１が省略された例を示している。すなわち、このシャドウマスク７には、すだれ状マスクの領域３３と、リアルブリッジ２２のみを有する領域３５とが存在する。すだれ状マスクの領域３３でのスリット開口幅Ｗ１５ｂと、リアルブリッジ２２のみを有する領域３５でのスリット開口幅Ｗ１５ａとの関係、およびその他の構成は先の例の場合と同様であり、ここではそれらの説明を省略する。
【００４６】
このように左右のダミーブリッジ２１を省略したシャドウマスク７の場合にも、同様に視認性の良好なカラー陰極線管画面とすることができる。
【００４７】
【発明の効果】
本発明の請求項１に記載のカラー陰極線管のシャドウマスクは、ダミーブリッジのみの領域と、ダミーブリッジとリアルブリッジの混在領域とが存在するカラー陰極線管のシャドウマスクにおいて、ダミーブリッジのみの領域におけるダミーブリッジサイズは、ダミーブリッジとリアルブリッジの混在領域におけるダミーブリッジサイズよりも大きいので、ダミーブリッジのみの領域と混在領域との間で電子ビーム透過量の均衡が保たれることとなり、良好な画面視認性を確保することができる。
【００４８】
また、本発明に係る請求項３に記載のカラー陰極線管のシャドウマスクは、ブリッジを有さないすだれ状マスク領域と、少なくともリアルブリッジを有する領域とが存在するカラー陰極線管のシャドウマスクにおいて、すだれ状マスク領域のスリット開口幅は、リアルブリッジを有する領域のスリット開口幅より小さいので、すだれ状マスク領域とリアルブリッジを有する領域との間で電子ビーム透過量の均衡が保たれることとなり、良好な画面視認性を確保することができる。
【００４９】
また、本発明の請求項５に記載のカラー陰極線管は、請求項１から４のいずれかに記載のシャドウマスクを備えているので、良好な画面視認性を確保することができ、また画面振動特性も向上させることができる。
【図面の簡単な説明】
【図１】この発明の実施の形態１にかかるシャドウマスクを備えたカラー陰極線管の概略構成を示す断面図である。
【図２】同シャドウマスクの概略構成を示す斜視図である。
【図３】同シャドウマスクの全体の平面図である。
【図４】同シャドウマスクの一部を拡大して示す平面図である。
【図５】図４の一部を拡大して示す平面図である。
【図６】同シャドウマスクの他の例の一部を拡大して示す平面図である。
【図７】この発明の実施の形態２にかかるカラー陰極線管のシャドウマスクの一部を拡大して示す平面図である。
【図８】同シャドウマスクの他の例の一部を拡大して示す平面図である。
【図９】同シャドウマスクのさらに他の例の一部を拡大して示す平面図である。
【符号の説明】
７  シャドウマスク、１３  ストリップ、１５  スリット、２１  ダミーブリッジ、２２  リアルブリッジ、２３  ダミーブリッジのみの領域、２４，３４  混在領域、３３  すだれ状マスクの領域、３５  リアルブリッジのみを有する領域。
【図１】
2004311092.tif 000003
【図２】
2004311092.tif 000004
【図３】
2004311092.tif 000005
【図４】
2004311092.tif 000006
【図５】
2004311092.tif 000007
【図６】
2004311092.tif 000008
【図７】
2004311092.tif 000009
【図８】
2004311092.tif 000010
【図９】
2004311092.tif 000011